【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】
インク供給源及びノズルに連通するキャビティを有するインクジェット印刷ヘッド用のインクジェット印刷ヘッド・チップであって、
第１アクティブ区域及び第２アクティブ区域を有するアクチュエータを備え、
前記第１アクティブ区域及び前記第２アクティブ区域が、前記ノズルから略同等に隔たって位置決めされていることから成るインクジェット印刷ヘッド・チップ。
【請求項２】
前記第１アクティブ区域に接続された第１導体と、
前記第２アクティブ区域に接続された第２導体と、
コモンに接続された第３導体と、
を更に備える、請求項１に記載のインクジェット印刷ヘッド・チップ。
【請求項３】
前記チップが、第１電圧の個別の駆動パルスを前記第１導体に選択的に印加して、前記アクチュエータの前記第１アクティブ区域を励起し、且つ、第２電圧の個別の駆動パルスを前記第２導体に選択的に印加して、前記アクチュエータの前記第２アクティブ区域を励起する選択的印加手段を有するプリンタに接続されている、請求項２に記載のインクジェット印刷ヘッド・チップ。
【請求項４】
前記第１、第２並びに第３導体が同一平面上に横たわっている、請求項２に記載のインクジェット印刷ヘッド・チップ。
【請求項５】
前記第１アクティブ区域が、前記第２アクティブ区域の２倍の断面積を有する、請求項１に記載のインクジェット印刷ヘッド・チップ。
【請求項６】
第３アクティブ区域を更に備える、請求項１に記載のインクジェット印刷ヘッド・チップ。
【請求項７】
前記アクチュエータが第１エッジ及び第２エッジを有し、該第１エッジが長さを有し、前記第１導体が前記第１エッジに対して前記長さの内の一部に沿って取付けられており、前記第２導体が前記第１導体と離間させられていると共に前記第１エッジに対して前記長さの内の異なった一部に沿って取付けられており、前記第３導体が前記第２エッジの長さ全体に沿って該第２エッジと電気的に接続されている、請求項２に記載のインクジェット印刷ヘッド・チップ。
【請求項８】
前記第１導体が前記第１エッジに取付けられている前記長さの前記一部が、前記第２導体が前記第１エッジに取付けられている前記一部とは異なる、請求項７に記載のインクジェット印刷ヘッド・チップ。
【請求項９】
前記アクチュエータが第１エッジ及び第２エッジを有し、前記第１導体が前記第１エッジに対してその主要部に沿って接続されており、前記第３導体が前記第２エッジに対してその主要部に沿って接続されており、前記第１導体の一部と前記アクチュエータの一部との上に横たわる電気的絶縁体を更に備え、前記第３導体が前記アクチュエータの上方面に接続されている、請求項２に記載のインクジェット印刷ヘッド・チップ。
【請求項１０】
前記アクチュエータが第１エッジ及び第２エッジを有し、前記第１導体が前記アクチュエータの２つの分離された領域で前記第１エッジと接続されている、請求項１に記載のインクジェット印刷ヘッド・チップ。
【請求項１１】
前記選択的印加手段が、前記第１導体及び前記第２導体に対して個別の駆動パルスを同時に印加する、請求項３に記載のインクジェット印刷ヘッド・チップ。
【請求項１２】
前記選択的印刷手段が、前記第１導体及び前記第２導体に対して個別の駆動パルスを異なる時間に印加する、請求項３に記載のインクジェット印刷ヘッド・チップ。
【請求項１３】
前記アクチュエータが平坦である、請求項１に記載のインクジェット印刷ヘッド・チップ。
【請求項１４】
前記アクチュエータが抵抗要素である、請求項１に記載のインクジェット印刷ヘッド・チップ。
【請求項１５】
前記アクチュエータが圧電要素である、請求項１に記載のインクジェット印刷ヘッド・チップ。
【請求項１６】
前記抵抗要素が前記ノズルの下方に配置されている、請求項１に記載のインクジェット印刷ヘッド・チップ。
【請求項１７】
前記インクジェット印刷ヘッドがトップ・シューター型印刷ヘッドである、請求項１に記載のインクジェット印刷ヘッド・チップ。
【請求項１８】
前記インクジェット印刷ヘッドがサイド・シューター型印刷ヘッドである、請求項１に記載のインクジェット印刷ヘッド・チップ。
【請求項１９】
インク供給源及びノズルと連通するキャビティを有するインクジェット印刷ヘッド用のインクジェット印刷ヘッド・チップを具備するインクジェット印刷ヘッドであって、前記チップが、
第１アクティブ区域及び第２アクティブ区域を有するアクチュエータを備え、
前記第１アクティブ区域及び前記第２アクティブ区域が、前記ノズルから略同等に隔たって位置決めされていることから成るインクジェット印刷ヘッド。
【請求項２０】
前記第１アクティブ区域に接続された第１導体と、
前記第２アクティブ区域に接続された第２導体と、
コモンに接続された第３導体と、
を更に備える、請求項１９に記載のインクジェット印刷ヘッド。
【請求項２１】
前記チップが、前記第１導体に第１電圧の個別の駆動パルスを選択的に印加して前記アクチュエータの前記第１区域を励起し、且つ、前記第２導体に第２電圧の個別の駆動パルスを選択的に印加して前記アクチュエータの前記第２区域を励起するための選択的印加手段と、コモンに接続されると共に前記アクチュエータに接続された第３導体を具備するプリンタに接続されている、請求項２０に記載のインクジェット印刷ヘッド。
【請求項２２】
第３アクティブ区域を更に備える、請求項１９に記載のインクジェット印刷ヘッド。
【請求項２３】
インクジェット印刷ヘッド・チップを含むと共に、インク供給源及びノズルと連通するキャビティを有するインクジェット印刷ヘッドを具備するインクジェット印刷システムであって、前記チップが、
第１アクティブ区域及び第２アクティブ区域を有するアクチュエータを備え、  前記第１アクティブ区域及び前記第２アクティブ区域が、前記ノズルから略同等に隔たって位置決めされていることから成るインクジェット印刷システム。
【請求項２４】
前記第１アクティブ区域に接続された第１導体と、
前記第２アクティブ区域に接続された第２導体と、
コモンに接続された第３導体と、
を更に備える、請求項２３に記載のインクジェット印刷システム。
【請求項２５】
前記第１導体に第１電圧の個別の駆動パルスを選択的に印加して前記アクチュエータの前記第１区域を励起し、且つ、前記第２導体に第２電圧の個別の駆動パルスを選択的に印加して前記アクチュエータの前記第２区域を励起するための選択的印加手段を更に備える、請求項２３に記載のインクジェット印刷システム。
【請求項２６】
第３アクティブ区域を更に備える、請求項２３に記載のインクジェット印刷システム。
【請求項２７】
インクジェット印刷ヘッド・チップ及び制御手段を有すると共にインク供給源及びノズルと連通するキャビティを有する印刷ヘッドを含むインクジェット印刷システムであって、前記インクジェット印刷ヘッド・チップが、
前記ノズルと対応するアクチュエータであり、各々が長さを有する第１エッジ及び第２エッジを有するアクチュエータと、
第１導体、第２導体、並びに、第３導体と、
前記第１導体が前記第１エッジの前記長さの内の一部に沿って前記アクチュエータの該第１エッジと結着して、前記アクチュエータの第１アクティブ区域を画成していることと、
前記第２導体が前記第１導体から離間され且つ前記第１エッジの前記長さの内の前記とは異なる一部に沿って前記アクチュエータの該第１エッジと結着して、前記アクチュエータの第２アクティブ区域を画成していることと、
前記第３導体が前記第２エッジの全長に沿って前記アクチュエータの前記第２エッジと電気的に接続して、前記第１アクティブ区域及び前記第２アクティブ区域を画成するためのコモン接続部を画成していることと、
前記第１アクティブ区域及び前記第２アクティブ区域が前記ノズルから実施的に同等距離の所に配置されていることと、
前記制御手段が前記第１導体に第１の調整可能な電圧を選択的に付与して前記アクチュエータの前記第１アクティブ区域を起動すると共に、前記第２導体に第２の固定した電圧を選択的に付与して前記アクチュエータの前記第２アクティブ区域を起動することと、
を含むことから成るインクジェット印刷システム。
【手続補正２】
【補正対象書類名】明細書
【補正対象項目名】０００２
【補正方法】変更
【補正の内容】
【０００２】
【従来の技術】
従来法によって動作される標準的な熱インクジェット印刷ヘッドは、本質的には、各ノズルから固定されたインク塊又は質量を放出する。